(57)【特許請求の範囲】
【請求項１】
回転によって被計量物を外側に搬送する分散部と、
該分散部の外縁部に沿って放射状に配置され、前記分散部から排出される前記被計量物を搬送する複数の搬送部と、
前記搬送部の間に配置される仕切り部と、を備える組合せ計量装置であって、
前記仕切り部の前記外縁部側の端部は、前記外縁部と当該端部との間に前記被計量物が位置した場合に、前記被計量物を前記外縁部に対して複数箇所で接触させ、
前記端部の前記外縁部側は平面である、組合せ計量装置。
【請求項２】
回転によって被計量物を外側に搬送する分散部と、
該分散部の外縁部に沿って放射状に配置され、前記分散部から排出される前記被計量物を搬送する複数の搬送部と、
前記搬送部の間に配置される仕切り部と、を備える組合せ計量装置であって、
前記仕切り部の前記外縁部側の端部は、前記外縁部と当該端部との間に前記被計量物が位置した場合に、前記被計量物を前記外縁部に対して複数箇所で接触させ、
前記端部の前記外縁部側は、前記外縁部に沿った形状である、組合せ計量装置。
【請求項３】
前記被計量物は粘着性を有している、請求項１又は２項記載の組合せ計量装置。
【発明の詳細な説明】
【技術分野】
【０００１】
本発明は、組合せ計量装置に関する。
【背景技術】
【０００２】
特許文献１には、組合せ計量装置が開示されている。この組合せ計量装置は、回転することにより被計量物を外側に搬送する分散部と、分散部の外周に沿って放射状に配置され、分散部から排出される被計量物を回転するスクリューで搬送する複数の搬送部と、搬送部の間に配置され、搬送部における被計量物の導入部を形成する仕切り部と、搬送部毎に対応して設けられ、搬送部から排出された被計量物を受ける複数のホッパと、複数のホッパの下方に配置された複数の計量ホッパと、を備えている。
【先行技術文献】
【特許文献】
【０００３】
【特許文献１】特表２０１４−５０９２９０号公報
【発明の概要】
【発明が解決しようとする課題】
【０００４】
上記組合せ計量装置のように、搬送部の間に仕切り部が配置されている構成では、被計量物の形状によっては、２つの搬送部に跨った状態で被計量物が仕切り部に引っ掛かるおそれがある。このような事象を抑制するために、通常、仕切り部の分散部側の端部は、搬送部の導入部に被計量物を案内する形状（導入部に被計量物が入り易い形状）とされている。具体的には、仕切り部の端部は、上記特許文献１に記載の装置のように幅が非常に小さい形状とされていたり、分散部側に向かって凸状の尖った形状とされていたりする。
【０００５】
被計量物は、分散部と仕切り部の端部との隙間に挟まることがある。このとき、従来の仕切り部の端部の形状では、当該端部と被計量物との接触面積が小さいため、被計量物と分散部との接触面積も小さくなる。そのため、分散部の回転による力が被計量物に効果的に伝達されず、被計量物が分散部と仕切り部の端部との間に留まるおそれがある。
【０００６】
本発明は、被計量物が分散部と仕切り部との間に留まることを抑制できる組合せ計量装置を提供することを目的とする。
【課題を解決するための手段】
【０００７】
本発明の一側面に係る組合せ計量装置は、回転によって被計量物を外側に搬送する分散部と、該分散部の外縁部に沿って放射状に配置され、分散部から排出される被計量物を搬送する複数の搬送部と、搬送部の間に配置される仕切り部と、を備える組合せ計量装置であって、仕切り部の外縁部側の端部は、外縁部と当該端部との間に被計量物が位置した場合に、被計量物を外縁部に対して複数箇所で接触させる。
【０００８】
この組合せ計量装置では、仕切り部の外縁部側の端部は、被計量物を外縁部に対して複数箇所で接触させる。これにより、分散部の外縁部と端部との間に被計量物が挟まれたときに、被計量物と分散部の外縁部とが接触する面積が大きくなる。そうすると、分散部の回転による力が被計量物に効果的に伝達され、その結果、仕切り部の端部と分散部の外縁部との間から被計量物が引き出される。したがって、被計量物が分散部と仕切り部との間に留まることを抑制できる。
【０００９】
一実施形態においては、端部の外縁部側は平面であってもよい。このように、端部を平面とすると、端部と外縁部との間に被計量物が挟まったときに、被計量物を外縁部に対して複数箇所で接触させることが可能となる。
【００１０】
一実施形態においては、端部の外縁部側は、外縁部に沿った形状であってもよい。このように、端部を外縁部に沿った形状、例えば、外側に向かって凸状の湾曲面とすると、端部と外縁部との間に被計量物が挟まったときに、被計量物を外縁部に対して複数箇所で接触させることが可能となる。
【００１１】
一実施形態においては、被計量物は粘着性を有していてもよい。被計量物が粘着性を有している場合、分散部と仕切り部の端部との隙間に引っ掛かり易い。そのため、被計量物を外縁部に対して複数箇所で接触させる端部の構成は、粘着性を有する被計量物を計量する場合に特に有効である。なお、粘着性を有する被計量物とは、例えば、肉類等である。
【発明の効果】
【００１２】
本発明によれば、被計量物が分散部と仕切り部との間に留まることを抑制できる。
【図面の簡単な説明】
【００１３】
【図１】一実施形態に係る組合せ計量装置の模式的な斜視図である。
【図２】図１に示された組合せ計量装置のガイドリングを省略した場合の模式的な斜視図である。
【図３】分散テーブル及び搬送部を示す斜視図である。
【図４】搬送部を示す斜視図である。
【図５】ガイドリングを示す斜視図である。
【図６】図１に示された組合せ計量装置を上から見た図である。
【図７】ガイドブロックの端部を拡大して示す図である。
【図８】ガイドブロックの端部と分散テーブルとの間に被計量物が挟まった状態を示す図である。
【図９】従来のガイドブロックの端部と分散テーブルとの間に被計量物が挟まった状態を示す図である。
【図１０】他の実施形態に係るガイドブロックの端部を拡大して示す図である。
【図１１】他の実施形態に係るガイドブロックの端部を拡大して示す図である。
【発明を実施するための形態】
【００１４】
以下、添付図面を参照して、本発明の好適な実施形態について詳細に説明する。なお、図面の説明において同一又は相当要素には同一符号を付し、重複する説明は省略する。
【００１５】
図１は、一実施形態に係る組合せ計量装置の模式的な斜視図である。図２は、図１に示された組合せ計量装置のガイドリングを省略した場合の模式的な斜視図である。図１及び図２に示される組合せ計量装置１は、個々の重量にばらつきがある被計量物Ｍ（図８参照）を許容範囲内の合計重量となるように計り分ける装置である。被計量物Ｍとしては、牛肉、豚肉及び鶏肉等の生肉類等が挙げられる。本実施形態の組合せ計量装置１は、特に、粘着性を有する物品の計量を好適に行うことができる。
【００１６】
図１及び図２に示されるように、組合せ計量装置１は、分散テーブル（分散部）３と、複数の搬送部５と、複数のホッパ７と、ガイドリング９と、を備えている。分散テーブル３、搬送部５、ホッパ７及びガイドリング９は、フレーム１０によって支持されている。
【００１７】
図３は、分散テーブル及び搬送部を示す斜視図である。図１〜図３に示されるように、分散テーブル３は、平面視において円形状を呈している。分散テーブル３は、第１分散部３０と、第２分散部３２と、を有する。第１分散部３０は、中心軸Ａを中心とする円錐形状を呈している。第１分散部３０は、搬送面（外側面）３０ａを有している。第１分散部３０は、その底部において第２分散部３２に接続されている。
【００１８】
第２分散部３２は、第１分散部３０の頂角よりも大きな頂角の円錐から、その頂部を切除した形状を呈している。第２分散部３２は、その切除された頂部に対応する位置において第１分散部３０に接続されている。第２分散部３２の搬送面３２ａは、第１分散部３０の搬送面３０ａと傾きが異なっている。これにより、分散テーブル３の搬送面３ａは、第１分散部３０と第２分散部３２との接続部分において、傾きが変化する傾斜面となっている。
【００１９】
分散テーブル３は、支持部４（図４参照）に支持された回転軸６（図４参照）に取り付けられている。分散テーブル３は、回転軸６に対して着脱自在とされている。回転軸６は、図示しないモータによって駆動される。分散テーブル３は、モータによって中心軸Ａを中心として回転（正転及び逆転）する。分散テーブル３は、中心軸Ａを中心として回転することによって、分散テーブル３上に供給された被計量物Ｍを、分散テーブル３の搬送面３ａの外縁部３ｅに向かう方向に搬送（分散）する。
【００２０】
図４は、搬送部を示す斜視図である。図２〜図４に示されるように、搬送部５は、トラフ５２と、トラフ５２に配置されたスクリュー５４と、によって構成される。トラフ５２は、トラフプレート５０に複数形成されている。トラフプレート５０は、平面視において円環状を呈している。トラフプレート３１の内径は、支持部４の外径と略同等であり、分散テーブル３の外径よりも小さい。トラフプレート５０の内周端は、中心軸Ａに沿って上方から見たとき、分散テーブル３の外縁部３ｅよりも内側に位置している。
【００２１】
トラフ５２は、半円柱状の凹部（凹状溝）である。トラフ５２は、トラフプレート５０の中心（中心軸Ａ）から放射状に配置されている。トラフ５２は、トラフプレート５０の中心から外縁にわたって延在している。トラフプレート５０の周方向に互いに隣り合うトラフ５２の間には、トラフ５２を連結する連結部５６が設けられている。連結部５６は、内周端側を頂部とする三角形状を呈しており、平面である。連結部５６のそれぞれには、ガイドリング９を係合するための複数（ここでは３つ）の係合突起５８が設けられている。
【００２２】
スクリュー５４は、トラフ５２のそれぞれに配置されている。スクリュー５４は、支持部４においてトラフ５２に対応する壁部４ａの内側に配置されたモータ（図示しない）によって駆動されて回転する。トラフ５２とスクリュー５４とによって構成される搬送部５は、分散テーブル３の外縁部３ｅに沿って放射状に配置され、分散テーブル３から排出される被計量物Ｍを、回転するスクリュー５４によってトラフ５２に沿って搬送する。搬送部５の分散テーブル３側の端部は、被計量物Ｍの導入部５９となる。
【００２３】
図１及び図２に示されるように、ホッパ７は、搬送部５ごとに対応して設けられており、搬送部５から排出された被計量物Ｍを受ける。より具体的には、ホッパ７は、プールホッパ７０と、計量ホッパ７２と、ブースターホッパ７４と、を有する。プールホッパ７０、計量ホッパ７２及びブースターホッパ７４は、上方から下方に向かってこの順に並んで配列されている。
【００２４】
プールホッパ７０は、搬送部５から排出された被計量物Ｍを一時的に保持する。計量ホッパ７２は、プールホッパ７０から排出された被計量物Ｍを一時的に保持する。計量ホッパ７２では、図示しない計量装置によって、被計量物Ｍの重量が計測される。ブースターホッパ７４は、計量ホッパ７２から排出された被計量物Ｍを一時的に保持する。ここでは、これらの１組のプールホッパ７０、計量ホッパ７２、及びブースターホッパ７４が、搬送部５のそれぞれに対応して設けられている。
【００２５】
図５は、ガイドリングを示す斜視図である。図１及び図５に示されるように、ガイドリング９は、分散テーブル３の外縁部３ｅに沿って放射状に配列された複数のガイドブロック（仕切り部）９０を有する。ガイドブロック９０は、平面視において、分散テーブル３の外縁部３ｅ側の端部９２を上辺とする台形形状を呈している。隣り合うガイドブロック９０同士は、連結部９３によって連結されている。ガイドブロック９０の端部９２の下部には、端面９２ａよりも内側に突出する突出部９４が設けられている。突出部９４の上面９４ａは、平面である。
【００２６】
ガイドブロック９０は、トラフプレート５０の連結部５６上に配置される。このとき、ガイドブロック９０の底面に設けられた係合孔（図示しない）に、連結部５６の係合突起５８が陥入し、ガイドブロック９０がトラフプレート５０の連結部５６に係合される。ガイドリング９がトラフプレート５０に配置された後に、分散テーブル３が回転軸６に取り付けられる。ガイドブロック９０の突出部９４は、中心軸Ａに沿って上方から見たとき、分散テーブル３の外縁部３ｅよりも内側に位置している。図６に示されるように、ガイドブロック９０の端部９２の端面９２ａと分散テーブル３の外縁部３ｅとの間には、隙間が形成されている。
【００２７】
ガイドブロック９０がトラフプレート５０に配置されることにより、互いに隣り合うガイドブロック９０の側壁９０ａによって、搬送部５のそれぞれの上に、トラフ５２の幅に相当する幅の領域が形成される。ガイドブロック９０の端部９２は、搬送部５に被計量物Ｍを導入する導入部（導入口）５９を形成している。これにより、分散テーブル３により搬送される被計量物Ｍが各ガイドブロック９０によって搬送部５に案内され、搬送部５に導入される。
【００２８】
図７は、ガイドブロックの端部を拡大して示す図である。図７に示されるように、ガイドブロック９０において、分散テーブル３の外縁部３ｅ側の端部９２の端面９２ａは、中心軸Ａに沿った方向から見て、平面である。端面９２ａは、分散テーブル３の外縁部３ｅの端面と対向する。ガイドブロック９０の端部９２の幅Ｗ１は、例えば、トラフ５２の幅Ｗ２の１／４以上に設定されている。或いは、端部９２の幅Ｗ１は、例えば、分散テーブル３の直径Ｒ（図６参照）の１／２２以上に設定されている。端部９２の幅Ｗ１は、設計に応じて適宜設定されればよい。
【００２９】
上記構成を有するガイドブロック９０の端部９２は、分散テーブル３の外縁部３ｅと端部９２との間に被計量物Ｍが位置した場合に、被計量物Ｍを外縁部３ｅに対して複数箇所で接触させる。具体的には、図８に示されるように、例えば、被計量物Ｍが隣り合う搬送部５に跨り且つ分散テーブル３の外縁部３ｅと端部９２との間に位置した場合、端部９２は、被計量物Ｍを、外縁部３ｅと接触させる。このとき、図中鎖線で囲まれる領域Ｒ１の部分において、被計量物Ｍは、外縁部３ｅと複数箇所で接触している。
【００３０】
図９は、従来のガイドブロックの端部と分散テーブルとの間に被計量物が挟まった状態を示す図である。図９に示されるように、従来のガイドブロック１００の端部１０２は、分散テーブル３側に向かって凸状の尖った形状とされている。この構成では、分散テーブル３の外縁部３ｅと端部１０２との間に被計量物Ｍが位置した場合、図中鎖線で囲まれる領域Ｒ２の部分において、被計量物Ｍが分散テーブル３の外縁部３ｅと一箇所Ｐ（図中黒丸で示す）で接触している。そのため、分散テーブル３と被計量物Ｍとの接触面積が小さいので、分散テーブル３の回転による力が被計量物Ｍに効果的に伝達されない。その結果、被計量物Ｍが分散テーブル３とガイドブロック１００の端部１０２との間に留まるおそれがある。
【００３１】
これに対して、本実施形態に係る組合せ計量装置１では、図８に示されるように、ガイドブロック９０の外縁部３ｅ側の端部９２は、被計量物Ｍを外縁部３ｅに対して例えば複数の箇所Ｐ（図８では４箇所）で接触させる。詳細には、端部９２は、隣り合う搬送部５に跨る被計量物Ｍと端面９２ａで接することで、被計量物Ｍを端面９２ａの幅の分だけ分散テーブル３の外縁部３ｅとの間で延在させる。これにより、被計量物Ｍと分散テーブル３の外縁部３ｅとが接触する面積が大きくなる。そうすると、分散テーブル３の回転による力が被計量物Ｍに効果的に伝達され、その結果、ガイドブロック９０の端部９２と分散テーブル３の外縁部３ｅとの間から被計量物Ｍが引き出される。したがって、被計量物Ｍが分散テーブル３とガイドブロック９０との間に留まることを抑制できる。
【００３２】
本実施形態では、ガイドブロック９０の端部９２の外縁部３ｅ側は平面である。このように、端部９２を平面とすると、端部９２と外縁部３ｅとの間に被計量物Ｍが挟まったときに、被計量物Ｍを外縁部３ｅに対して複数箇所で接触させることが可能となる。
【００３３】
本実施形態では、組合せ計量装置１は、粘着性を有する生肉等の被計量物Ｍを計量する。被計量物Ｍが粘着性を有している場合、分散テーブル３とガイドブロック９０の端部９２との隙間に引っ掛かり易い。そのため、被計量物Ｍを外縁部３ｅに対して複数箇所で接触させるガイドブロック９０の端部９２の構成は、粘着性を有する被計量物Ｍを計量する場合に特に有効である。
【００３４】
本発明は、上記実施形態に限定されない。例えば、上記実施形態では、ガイドブロック９０の端部９２の端面９２ａが平面である形態を一例に説明したが、端部９２の構成はこれに限定されない。図１０（ａ）に示されるように、ガイドブロック９０Ａの端部９２Ａの端面９２Ａａは、例えば、分散テーブル３の外縁部３ｅに沿った形状であってもよい。例えば、端面９２Ａａを外側に向かって凸状の湾曲面とすると、端部９２Ａと外縁部３ｅとの間に被計量物Ｍが挟まったときに、被計量物Ｍが端面９２Ａａの幅の分だけ端面９２Ａａに沿って延在する。これにより、図９に示される端部１０２に比べて、被計量物Ｍが外縁部３ｅに対して延在する長さが大きくなる。その結果、被計量物Ｍと外縁部３ｅとの接点が多くなり、被計量物Ｍを外縁部３ｅに対して複数箇所で接触させることが可能となる。
【００３５】
図１０（ｂ）に示されるように、ガイドブロック９０Ｂの端部９２Ｂの端面９２Ｂａは、例えば、分散テーブル３側に凸状の湾曲面であってもよい。端面９２Ａａは、緩やかな湾曲面である。このように、端面９２Ｂａを緩やかな湾曲面とすると、端部９２Ｂと外縁部３ｅとの間に被計量物Ｍが挟まったときに、被計量物Ｍが端面９２Ｂａの幅の分だけ端面９２Ｂａに沿って延在する。これにより、図９に示される端部１０２に比べて、被計量物Ｍが外縁部３ｅに対して延在する長さが大きくなる。その結果、被計量物Ｍと外縁部３ｅとの接点が多くなり、被計量物Ｍを外縁部３ｅに対して複数箇所で接触させることが可能となる。
【００３６】
図１１（ａ）に示されるように、ガイドブロック９０Ｃの端部９２Ｃは、多角形状を呈していてもよい。端部９２Ｃにおいて、少なくとも分散テーブル３の外縁部３ｅの端面と対向する端面９２Ｃａは、平面である。このように、端部９２Ｃを多角形状とすると、端部９２Ｃと外縁部３ｅとの間に被計量物Ｍが挟まったときに、被計量物Ｍが端面９２Ｃａの幅の分だけ端面９２Ｃａに沿って延在する。これにより、図９に示される端部１０２に比べて、被計量物Ｍが外縁部３ｅに対して延在する長さが大きくなる。その結果、被計量物Ｍと外縁部３ｅとの接点が多くなり、被計量物Ｍを外縁部３ｅに対して複数箇所で接触させることが可能となる。
【００３７】
図１１（ｂ）に示されるように、ガイドブロック９０Ｄの端部９２Ｄは、台形状を呈していてもよい。端部９２Ｄにおいて、少なくとも分散テーブル３の外縁部３ｅの端面と対向する端面９２Ｃａは、平面である。このように、端部９２Ｄを台形状とすると、端部９２Ｄと外縁部３ｅとの間に被計量物Ｍが挟まったときに、被計量物Ｍが端面９２Ｄａの幅の分だけ端面９２Ｄａに沿って延在する。これにより、図９に示される端部１０２に比べて、被計量物Ｍが外縁部３ｅに対して延在する長さが大きくなる。その結果、被計量物Ｍと外縁部３ｅとの接点が多くなり、被計量物Ｍを外縁部３ｅに対して複数箇所で接触させることが可能となる。
【００３８】
上記実施形態では、分散テーブル３が中心軸Ａを中心として回転することにより、被計量物を外縁部３ｅに向かって搬送する形態を一例に説明した。しかし、分散テーブル３は、振動によって、被計量物を外縁部３ｅに向かって搬送する形態であってもよい。
【００３９】
上記実施形態では、搬送部５において、スクリュー５４によって被計量物Ｍを搬送する形態を一例に説明したが、搬送部５における搬送方法は、他の方法であってもよい。
【００４０】
上記実施形態では、ガイドリング９においてガイドブロック９０同士が連結部９３によって連結されている形態を一例に説明したが、ガイドブロック９０同士は連結されていなくてもよい。
【００４１】
上記実施形態では、分散テーブル３が第１分散部３０及び第２分散部３２を有している形態を一例に説明したが、分散テーブル３の構成はこれに限定されない。
【符号の説明】
【００４２】
１…組合せ計量装置、３…分散テーブル（分散部）、３ｅ…外縁部、５…搬送部、９…ガイドリング（仕切り部）、９２，９２Ａ，９２Ｂ、９２Ｃ，９２Ｄ…端部、Ｍ…被計量物。
【図１】
0006377982.tif 000002
【図２】
0006377982.tif 000003
【図３】
0006377982.tif 000004
【図４】
0006377982.tif 000005
【図５】
0006377982.tif 000006
【図６】
0006377982.tif 000007
【図７】
0006377982.tif 000008
【図８】
0006377982.tif 000009
【図９】
0006377982.tif 000010
【図１０】
0006377982.tif 000011
【図１１】
0006377982.tif 000012